(57)【特許請求の範囲】
【請求項１】
回転することで釣り糸用の糸部材を巻き取り可能に構成された巻取りローラと、
該巻取りローラの回転軸方向の一端に連結された支持アームと、
その一端が前記支持アームと連結され、かつ、前記巻取りローラと略平行に配置された軸部材と、該軸部材に回転可能に外挿されると共に、同軸部材の長手方向に移動することで前記巻取りローラへの糸部材の送り出し位置を前記巻取りローラによる糸部材の巻取り幅を超えて変更可能に構成された回転部材を有する巻取補助装置とを備える
巻取装置。
【請求項２】
前記巻取補助装置の前記回転部材は、前記軸部材に形成された溝部に沿って同軸部材の長手方向に移動する
請求項１に記載の巻取装置。
【請求項３】
前記巻取りローラに隣接して配置されると共に、前記巻取りローラを回転せしめるモータを有する
請求項１または請求項２に記載の巻取装置。
【請求項４】
前記巻取装置は、前記糸部材の巻き取り及び送り出しを繰り返し行う
請求項１、請求項２または請求項３に記載の巻取装置。
【請求項５】
前記巻取補助装置の前記回転部材は、前記溝部と嵌合可能なピン部材を有すると共に、前記軸部材から着脱可能に構成された
請求項２に記載の巻取装置。
【発明の詳細な説明】
【技術分野】
【０００１】
本発明は巻取補助装置及び巻取装置に関する。詳しくは巻取りローラによる糸部材（例えば、釣糸）の巻き取り時の食い込みを抑制することができる巻取補助装置及び巻取装置に係るものである。
【背景技術】
【０００２】
従来、サワラやマグロの一本釣り漁業等に利用されている漁具は、図８で示す様に、複数の重りが取り付けられたテグス又はワイヤなどの釣糸１１０の先に疑似針（図示せず）を連結して構成されている。そして、巻取りローラ１０９を逆転して巻取りローラ１０９に巻き付けられた釣糸１１０を送り出し、魚が掛かったら巻取りローラ１０９を正転して釣糸１１０を巻取りローラ１０９に巻き付けて魚を釣り上げている（例えば、特許文献１参照）。
【０００３】
ここで、巻取りローラ１０９で釣糸１１０を巻き取る際には、釣糸１０９が偏在しない様に、図８中符号Ｄで示す方向に釣糸１１０の位置を変更しながら、具体的には、釣糸１１０を手や足で押したり（引いたり）して位置を変更しながら、巻き取り作業を行っている。
【先行技術文献】
【特許文献】
【０００４】
【特許文献１】特開平６−１９７６７３号公報
【発明の概要】
【発明が解決しようとする課題】
【０００５】
しかしながら、従来の巻き取り作業では、巻取りローラ１０９に巻き取られている釣糸１１２（下層に位置する釣糸１１２）と、新たに巻取りローラ１０９に巻き取る釣糸１１０（上層に位置する釣糸１１０）が概ね平行な状態をなしている。そのために、巻取りローラ１０９に巻き取られている釣糸１１２同士の間隙に、新たに巻き取る釣糸１１０が入り込んでしまい、こうした釣糸の食い込みによって、釣糸の送り出しの際に、釣糸がからまってしまう恐れがある。
【０００６】
本発明は以上の点に鑑みて創案されたものであって、糸部材の巻き取り時に生じる食い込みを抑制することができる巻取補助装置及び巻取装置を提供することを目的とするものである。
【課題を解決するための手段】
【０００７】
上記の目的を達成するために、本発明に係る巻取補助装置は、回転することで糸部材を巻き取り可能に構成された巻取りローラの回転軸と略平行に配置された軸部材と、該軸部材に回転可能に外挿されると共に、同軸部材の長手方向に移動することで前記巻取りローラへの糸部材の送り出し位置を変更可能に構成された回転部材とを備える。
【０００８】
また、上記の目的を達成するために、本発明に係る巻取装置は、回転することで糸部材を巻き取り可能に構成された巻取りローラと、該巻取りローラの回転軸と略平行に配置された軸部材と、該軸部材に回転可能に外挿されると共に、同軸部材の長手方向に移動することで前記巻取りローラへの糸部材の送り出し位置を変更可能に構成された回転部材を有する巻取補助装置とを備える。
【０００９】
ここで、回転部材が軸部材の長手方向に移動することで巻取りローラへの糸部材の送り出し位置を変更可能に構成されたことによって、巻取りローラに巻かれる糸部材の方向を異ならせることができ、既に巻取りローラに巻き取られている糸部材（下層の糸部材）と、新たに巻取りローラに巻き取る糸部材（上層の糸部材）の方向が異なるために、下層の糸部材の間隙に上層の糸部材が食い込むことを抑制できる。
【００１０】
なお、回転部材が軸部材に回転可能に外挿されているために、巻取りローラで糸部材を巻き取る際に、余分な負荷が加わり難い。即ち、巻取りローラへの糸部材の送り出し位置を軸部材の長手方向で変更せしめるのであれば、回転運動を伴うことなく往復運動を行っても良いと考えられる。しかし、単なる往復運動である場合には巻取りローラが糸部材を巻き取る際に、所定の負荷が加えられることとなってしまう。そのため、巻取りローラに余分な負荷を与えず、スムーズな巻取りを実現すべく、本発明に係る巻取補助装置及び巻取装置では、回転部材は軸部材に回転可能に外挿されているのである。
【００１１】
また、回転部材は駆動モータ等の駆動源によって回転及び移動する構成としても良いが、巻取りローラで巻き取られる糸部材との摩擦力によって回転及び移動可能な構成とされることで、駆動モータ等の駆動源を必要としない構成を実現することができる。
【００１２】
また、回転部材による糸部材の送り出し高さが、巻取りローラによる糸部材の巻き取り高さとは異なることによって、回転部材と糸部材とに折角度が生じ、回転部材と糸部材との摩擦力が増大することで回転部材を確実に回転させることが可能となる。
【００１３】
また、回転部材は、巻取りローラによる糸部材の巻取り幅を超えて移動可能な構成とされることによって、巻取ローラの巻取り幅いっぱいに糸部材を巻き取ることが可能となる。
【００１４】
なお、巻取りローラに巻かれる糸部材の方向を異ならせる方法（下層の糸部材と上層の糸部材の方向を異ならせる方法）として、巻取りローラ自体を同巻取りローラの軸部材の長手方向に移動するということが考えられる。しかし、巻取りローラ自体を移動可能にするためには、巻取りローラ自体の取替が必要となり、既存の設備では対応ができないこととなる。
また、巻取り作業と共に移動作業をも巻取りローラに担わせると、巻取りローラの機械的な負担が大きく、構造も複雑になってしまう。
そのため、巻取りローラ自体を移動可能にする方法は、必ずしも妥当であるとは言えないのである。
【発明の効果】
【００１５】
本発明を適用した巻取補助装置及び巻取装置では、糸部材の巻き取り時に生じる食い込みを抑制することができる。
【図面の簡単な説明】
【００１６】
【図１】本発明を適用した巻取装置の一例を説明するための模式図である。
【図２】本発明を適用した釣糸巻取補助装置を説明するための模式図である。
【図３】本発明を適用した巻取装置の一例の概要を説明するための模式図である。
【図４】折角度θ１を説明するための模式図である。
【図５】釣糸Ａの巻取り状態を説明するための模式図である。
【図６】本発明を適用した巻取補助装置の他の一例を説明するための模式図である。
【図７】本発明を適用した巻取装置の他の一例の概要を説明するための模式図である。
【図８】従来の釣糸巻取装置を説明するための模式図である。
【発明を実施するための形態】
【００１７】
以下、本発明の実施の形態を図面を参酌しながら説明し、本発明の理解に供する。
＜第１の実施の形態＞
図１は本発明を適用した巻取装置の一例を説明するための模式図であり、図２は本発明を適用した釣糸巻取補助装置を説明するための模式図であり、図３は本発明を適用した巻取装置の一例の概要を説明するための模式図である。
【００１８】
ここで示す巻取装置（釣糸巻取装置）２では、船体（図示せず。）の船縁側や中央に設置される巻取りローラ４によって船体の船縁から海側に突き出して設置されたガイドローラ３を通して糸部材Ａ（以下、「釣糸Ａ」と称する。）を海中から巻き取ったり、海中に釣糸Ａを送り出したりする。
【００１９】
また、巻取りローラ４のガイドローラ３側には、釣糸巻取補助装置１が配置されている。この釣糸巻取補助装置１は、巻取りローラ４の回転軸５と略平行に配置された軸部材６と、この軸部材６にスライド可能に外挿された回転部材７とを有して構成されている。
【００２０】
ここで、軸部材６の軸長さは、巻取りローラ４の巻取り幅よりも大きく、巻取りローラ４に取付けられた支持アーム９によって巻取りローラ４より上方に配置されている。
【００２１】
更に、軸部材６の外周面には、この軸部材６の一端から他端に向けて螺旋状に往復周回される無端状の往復周回溝部８が刻設されている。
【００２２】
また、回転部材７は、軸部材６に対してスライド、かつ回転自在な筒体１３と、筒体１３の両側外周縁に周設された鍔部１０を有する。更に筒体１３の内周面には軸部材６の外周面に刻設された往復周回溝部８内に挿入可能なスライドピン１１が突設されている。
【００２３】
上記の様に構成された釣糸巻取補助装置１では、回転部材７が回転することでスライドピン１１が軸部材６の往復周回溝部８内を摺動しながら周回し、回転部材７が軸部材６の長手方向に対して往復移動することとなる。
【００２４】
また、巻取りローラ４の回転軸５には正逆回転自在とされる減速機（図示せず。）を介して駆動モータ１２が取付けられており、巻取りローラ４は駆動回転可能な構成とされている。
【００２５】
ここで、本実施の形態では、図４に示すように、軸部材６に外挿された回転部材７は、ガイドローラ（図示せず。）と巻取りローラ４よりも高い位置に配置されている。このことによって、釣糸Ａに鉛直方向の折角度（図４中符号θ１で示す角度）が生じることとなり、釣糸Ａと回転部材７との間に付与される摩擦力によって回転部材７を容易に回転させることが可能となる。
【００２６】
なお、回転部材７と釣糸Ａとの折角度θ１については、折角度が８度から７０度の範囲であればスムーズな巻上げが可能となる。即ち、折角度が８度未満の場合では回転部材７との間に充分な摩擦力を与えることができず、回転部材７を回転しながらスライドさせることが困難となる。一方、折角度が７０度を超える場合には、前後釣糸Ａの二等分線方向への力が強く釣糸巻取補助装置１に加わることとなり、軸部材６の強度の問題が懸念されることとなる。そのため、折角度θ１は８度から７０度の範囲内であることが好ましい。
【００２７】
なお、本実施の形態では、回転部材７を巻取りローラ４より高い位置とする場合を例に挙げて説明を行っているが、必ずしも回転部材７を巻取りローラ４よりも高い位置とする必要性はない。例えば回転部材７を巻取りローラ４より低い位置に配置して釣糸Ａを回転部材７の下面に通すことで前記４図において詳述したことと同様に、回転部材７と釣糸Ａとの間に摩擦力を生じさせても良い。
【００２８】
本実施の形態では、図１に示すように、回転部材７が釣糸Ａとの摩擦力によって回転することで軸部材６に対してスライド可能となるのであるが、巻取りローラ４の巻取り幅より回転部材７のスライド幅を大きくすることによって巻取りローラ４の巻取り幅いっぱいに釣糸Ａを巻き取ることが可能となる。
【００２９】
ここで、巻取りローラ４と回転部材７との水平上の付加角度θ２を３．５度から１０度の範囲内とすることで良好な巻取りが可能となる。
【００３０】
即ち、付加角度θ２が３．５度未満の場合には、巻取りローラ４の巻取り幅に満たない幅間で巻き取られることとなる。一方、付加角度θ２が１０度を超える場合には、巻取りローラ４の巻取り幅に均等に巻き取ることが困難となる。そのため、付加角度θ２は３．５度から１０度の範囲内であることが好ましい。
【００３１】
本実施の形態では、図５に示すように、巻取りローラ４によって巻き取られる釣糸Ａは、既に巻かれている釣糸Ａ（下層の釣糸Ａ）と新たに巻かれようとする釣糸Ａ（上層の釣糸Ａ）が平行ではないため、下層の釣糸Ａ同士間の隙間に上層の釣糸Ａが食い込み難くなる。そのため、巻き取られた釣糸Ａを送り出す際に、釣糸Ａが絡み難い。
【００３２】
また、本実施の形態では、回転部材７と釣糸Ａとの摩擦力によって回転部材７を回転可能な機構としているために、駆動モータ等の動力源を取り付ける必要性がなく、船体に設置された既設の巻取装置に容易に適用可能である。
【００３３】
＜第２の実施の形態＞
図６は本発明を適用した巻取補助装置の他の一例を説明するための模式図であり、図７は本発明を適用した巻取装置の他の一例の概要を説明するための模式図である。
【００３４】
ここで示す巻取補助装置（釣糸巻取装置）２では、船体（図示せず。）の船縁側や中央に設置される巻取りローラ４によって船体の船縁から海側に突き出して設置されたガイドローラ３を通して釣糸Ａを海中から巻き取ったり、海中に釣糸Ａを送り出したりする。
【００３５】
また、巻取りローラ４のガイドローラ３側には、釣糸巻取補助装置１が配置されている。この釣糸巻取補助装置１は、巻取りローラ４の回転軸５と略平行に配置された軸部材６と、この軸部材６にスライド可能に外挿された回転部材７とを有して構成されている。
【００３６】
ここで、軸部材６の軸長さは、巻取りローラ４の巻取り幅よりも大きく、巻取りローラ４に取付けられた支持アーム９によって巻取りローラ４と同一高さに配置されている。
【００３７】
更に、軸部材６の外周面には、この軸部材６の一端から他端に向けて螺旋状に往復周回される無端状の往復周回溝部８が刻設されている。この点は、上記した第１の実施の形態と同様である。
【００３８】
また、回転部材７は、軸部材６に対してスライド、かつ回転自在な筒体１３と、筒体１３の両側外周縁に周設された鍔部１０を有する。更に筒体１３の内周面には軸部材６の外周面に刻設される往復周回溝部８内に挿入可能なスライドピン１１が突設されている。この点は、上記した第１の実施の形態と同様である。
【００３９】
ここで、本実施の形態では、軸部材６は、その一端側の支持アーム９に取付けられる駆動モータ１２Ａによって駆動回転自在な構成とされている。
【００４０】
なお、巻取りローラ４の巻取り幅より回転部材７のスライド幅を大きくすることによって巻取りローラ４の巻取り幅いっぱいに釣糸Ａを巻き取ることが可能となる。
【００４１】
上記の様に構成された釣糸巻取補助装置１では、回転部材７に釣糸Ａを通した状態で軸部材６を駆動モータ１２Ａで駆動回転させることによって、往復周回溝部８内に挿入された回転部材７のスライドピン１１が往復周回溝部８に沿って摺動し、回転部材７が軸部材６に対してその軸部材６の長手方向へのスライドを繰り返すことが可能となる。
【００４２】
また、巻取りローラ４の回転軸５には正逆回転自在とされる減速機（図示せず。）を介して駆動モータ１２が取付けられており、巻取りローラ４は駆動回転可能な構成とされている。
【００４３】
本実施の形態では、図５において詳述したように、巻取りローラ４によって巻き取られる釣糸Ａは、既に巻かれている釣糸Ａ（下層の釣糸Ａ）と新たに巻かれようとする釣糸Ａ（上層の釣糸Ａ）が平行ではないために、下層の釣糸Ａ同士間の隙間に上層の釣糸Ａが食い込み難くなる。そのため、巻き取られた釣糸Ａを送り出す際に、釣糸Ａが絡み難い。
【００４４】
なお、本実施の形態では軸部材６を、この軸部材６の一端に取付けられる駆動モータ１２Ａによって駆動回転させる機構を例に挙げて説明を行っているが、必ずしも別個の駆動モータにより回転させる機構とする必要性はない。例えば巻取りローラを駆動回転させる駆動モータと軸部材とをチェーン、あるいはギヤー等によって連結させる機構とするものであっても構わない。
【００４５】
本実施の形態では、軸部材６を駆動モータ１２Ａによって駆動回転させており、回転部材７と釣糸Ａとの間に摩擦力を生じさせる必要がない。したがって、回転部材７を巻取りローラ４より高い位置、あるいは低い位置に配置することなく、かつ鉛直方向への負荷を考慮することなく軸部材６を設置することが可能となる。
【００４６】
＜変形例＞
上記した第１の実施の形態及び第２の実施の形態では、巻取装置として釣糸巻取装置を例に挙げて説明を行っているが、本発明の巻取装置は釣糸巻取装置以外にも適用可能であることは勿論である。
【符号の説明】
【００４７】
１      釣糸巻取補助装置
２      巻取装置
３      ガイドローラ
４      巻取りローラ
５      回転軸
６      軸部材
７      回転部材
８      往復周回溝部
９      支持アーム
１０    鍔部
１１    スライドピン
１２、１２Ａ  駆動モータ
１３      筒体
【図１】
0005511357.tif 000002
【図２】
0005511357.tif 000003
【図３】
0005511357.tif 000004
【図４】
0005511357.tif 000005
【図５】
0005511357.tif 000006
【図６】
0005511357.tif 000007
【図７】
0005511357.tif 000008
【図８】
0005511357.tif 000009